(57)【要約】【課題】  高域の伝送周波数に極めて好適に対応することのできる電子機器の同軸ケーブル接栓に取り付けられる終端抵抗器の提供。【解決手段】  同軸ケーブル接栓に接続される終端抵抗器であって、前記同軸ケーブル接栓と着脱自在に装着されるとともに一端に底部を有する外部筒体と、該外部筒体の内部に収容される内部筒体と、該内部筒体内に配されるとともに、一端が前記同軸ケーブル接栓の中心導体と接続され、他端が該内部筒体と接続される芯線部とからなり、前記芯線部は、抵抗素子と貫通コンデンサが直列に接続されていることを特徴とする。【選択図】  図１
2006203144.tif 000002
【特許請求の範囲】
【請求項１】
同軸ケーブル接栓に接続される終端抵抗器であって、
前記同軸ケーブル接栓と着脱自在に装着されるとともに一端に底部を有する外部筒体と、
該外部筒体の内部に収容される内部筒体と、
該内部筒体内に配されるとともに、一端が前記同軸ケーブル接栓の中心導体と接続され、他端が該内部筒体と接続される芯線部とからなり、
前記芯線部は、抵抗素子と貫通コンデンサが直列に接続されていることを特徴とする終端抵抗器。
【請求項２】
前記外部筒体は、
前記底部を有し、前記内部筒体が嵌入される筒状の第１収容部と、
前記第１収容部と連通連結して設けられるとともに、該第１収容部の内側半径よりも長い内側半径を有する筒状の第２収容部からなることを特徴とする請求項１記載の終端抵抗器。
【請求項３】
前記内部筒体が前記外部筒体に収容された際に、該内部筒体を固定する可撓性のリング部材が前記第２収容部の内周面に沿って配されていることを特徴とする請求項２記載の終端抵抗器。
【請求項４】
前記外部筒体は、
前記底部を有し、前記内部筒体が嵌入される筒状の第３収容部と、
前記内部筒体を嵌通させるとともに、該内部筒体を前記同軸ケーブル接栓に装着するための筒状の第４収容部とからなることを特徴とする請求項１記載の終端抵抗器。
【請求項５】
前記内部筒体が前記第３収容部に嵌入された際に、該内部筒体を固定する可撓性のリング部材が該第３収容部の内周面に沿って配されていることを特徴とする請求項４に記載の終端抵抗器。
【請求項６】
前記内部筒体が前記第４収容部に嵌通された際に、該内部筒体を固定する可撓性のリング部材が前記第４収容部の内周面に沿って配されていることを特徴とする請求項４又は５に記載の終端抵抗器。
【請求項７】
前記内部筒体は、一方の開口部周縁から半径方向外側に向かって突出する突出部が設けられていることを特徴とする請求項１乃至６いずれかに記載の終端抵抗器。
【請求項８】
前記突出部は、前記内部筒体の軸方向外側に傾斜するテーパ形状とされていることを特徴とする請求項７に記載の終端抵抗器。
【発明の詳細な説明】
【技術分野】
【０００１】
本発明は、終端抵抗器に関し、より詳しくは、高域の伝送周波数に極めて好適に対応することのできる電子機器の同軸ケーブル接栓に取り付けられる終端抵抗器に関する。
【背景技術】
【０００２】
終端抵抗器は、電子機器の内部回路とのインピーダンス整合をとるとともに、落雷やアーク接地等によって信号伝送路に誘起される異常電圧を吸収して、電子機器を安全に動作させることを目的としている。
従来使用されている終端抵抗器は、例えば、図９に示される如く、同軸ケーブル接栓の中心導体に接続されるための芯線（Ａ１）に抵抗素子（Ａ２）とリード（Ａ４）付きコンデンサ（Ａ３）が並列に接続されている終端抵抗器（Ａ）を例示することができる。この終端抵抗器（Ａ）は、電流カット用として使用されている。
【０００３】
しかしながら、この終端抵抗器（Ａ）は、電子機器を安全に動作させることができる伝送周波数範囲が、１４００ＭＨｚ付近までであった。
これは、この終端抵抗器（Ａ）がリード（Ａ４）付きコンデンサ（Ａ３）を使用しているため、このリード（Ａ４）に起因するインダクタンスの影響を受けて高域の伝送周波数帯では使用することができない問題点を有していたからである。
【０００４】
特に近年に於いては、CATVシステム、衛星放送や地上波デジタル放送サービスの発展に伴い、利用される伝送周波数帯が拡大され、高域の伝送周波数にまでその利用範囲が広がっている。このような背景技術下に於いて、上記する如き終端抵抗器（Ａ）は、高域の伝送周波数で好適に使用することができなかった。
【０００５】
終端抵抗器に関する技術は、従来多種多様に工夫されて創出されている。
例えば、特許文献１には、CATVシステム等で使用可能な終端抵抗器が開示されている。この特許文献１に開示される終端抵抗器は、芯線に放電部を設けることによって、耐サージ特性を向上させることを目的としている。
しかしながら、この特許文献１に開示される終端抵抗器は、サージ特性を向上させる構成は開示されているが、衛星放送等で使用される高域の伝送周波数が使用される場合の構成は開示されておらず、高域の伝送周波数では好適に使用することができなかった。
【０００６】
上記の如き理由等から、高域の伝送周波数で使用される電子機器の空き端子には、コンデンサを具備しない終端抵抗器を使用することが一般的であった。
このため、終端抵抗器にコンデンサを使用しないので、空き端子に電圧がかかっているか否か不明な場合には、電圧検査を別途行わなければならず、電圧検査の作業が必要となり、作業が煩雑化するという問題点を有していた。
【０００７】
【特許文献１】特開２００２−２９９１０７号公報
【発明の開示】
【発明が解決しようとする課題】
【０００８】
本発明は、このような実情に鑑みてなされたもので、CATVシステム、衛星放送や地上波デジタル放送サービス等で使用される高域の伝送周波数に極めて好適に対応することのできる電子機器の同軸ケーブル接栓に取り付けられるとともに、極めて簡易な構造を有する終端抵抗器を提供する。
【課題を解決するための手段】
【０００９】
請求項１記載の発明は、同軸ケーブル接栓に接続される終端抵抗器であって、前記同軸ケーブル接栓と着脱自在に装着されるとともに一端に底部を有する外部筒体と、該外部筒体の内部に収容される内部筒体と、該内部筒体内に配されるとともに、一端が前記同軸ケーブル接栓の中心導体と接続され、他端が該内部筒体と接続される芯線部とからなり、前記芯線部は、抵抗素子と貫通コンデンサが直列に接続されていることを特徴とする終端抵抗器を提供する。
請求項２記載の発明は、前記外部筒体は、前記底部を有し、前記内部筒体が嵌入される筒状の第１収容部と、前記第１収容部と連通連結して設けられるとともに、該第１収容部の内側半径よりも長い内側半径を有する筒状の第２収容部からなることを特徴とする請求項１記載の終端抵抗器を提供する。
請求項３記載の発明は、前記内部筒体が前記外部筒体に収容された際に、該内部筒体を固定する可撓性のリング部材が前記第２収容部の内側周面に沿って配されていることを特徴とする請求項２記載の終端抵抗器を提供する。
【００１０】
請求項４記載の発明は、前記外部筒体は、前記底部を有し、前記内部筒体が嵌入される筒状の第３収容部と、前記内部筒体を嵌通させるとともに、該内部筒体を前記同軸ケーブル接栓に装着するための筒状の第４収容部とからなることを特徴とする請求項１記載の終端抵抗器を提供する。
請求項５記載の発明は、前記内部筒体が前記第３収容部に嵌入された際に、該内部筒体を固定する可撓性のリング部材が該第３収容部の内側周面に沿って配されていることを特徴とする請求項４に記載の終端抵抗器を提供する。
請求項６記載の発明は、前記内部筒体が前記第４収容部に嵌通された際に、該内部筒体を固定する可撓性のリング部材が前記第４収容部の内側周面に沿って配されていることを特徴とする請求項４又は５に記載の終端抵抗器を提供する。
請求項７記載の発明は、前記内部筒体は、一方の開口部周縁から半径方向外側に向かって突出する突出部が設けられていることを特徴とする請求項１乃至６いずれかに記載の終端抵抗器を提供する。
請求項８記載の発明は、前記突出部は、前記内部筒体の軸方向外側に傾斜するテーパ形状とされていることを特徴とする請求項７に記載の終端抵抗器を提供する。
これらの発明を提供することによって、上記課題を悉く解決する。
【発明の効果】
【００１１】
請求項１記載の発明によって、芯線部に抵抗素子と貫通コンデンサが設けられる終端抵抗器を提供することができる。
このように貫通コンデンサを具備させることによって、高域の伝送周波数を使用した電子機器の同軸ケーブル接栓に取り付けられても、極めて安全に電子機器の動作を促すことができる。特に、本発明の終端抵抗器は、従来の終端抵抗器を高域の伝送周波数の電子機器に使用した場合に問題となるインダクタンスの影響を受けることなく、高域の伝送周波数で利用される電子機器に使用することができる。
【００１２】
請求項２記載の発明によって、芯線部を収容する内部筒体と、第１収容部及び第２収容部を有する外部筒体からなる２つの部材からなる終端抵抗器が構成されることになるので、容易に組み立てることができ且つ容易に分解することのできる終端抵抗器を提供することができる。
また、このように終端抵抗器が２つの部材から構成されることによって、終端抵抗器を使用済みの廃棄物として処理しようとした場合に、内部筒体を電子部品として処理し、外部筒体を金属片として処理することができるので、極めて環境に優しい終端抵抗器を提供することができる。
請求項３記載の発明によって、外部筒体の第２収容部の内側周面に可撓性のリング部材が設けられることによって、内部筒体を外部筒体に収容した場合に確実に固着することができるとともに、容易に取外すことができる終端抵抗器を提供することができる。
【００１３】
請求項４記載の発明によって、芯線部を収容する内部筒体と、第３収容部と第４収容部の２つの部材からなる外部筒体から終端抵抗器が構成されることによって、この内部筒体、内部筒体を収容する第３収容部と、内部筒体を同軸ケーブル接栓に脱着自在に装着するための第４収容部である３つの部材から終端抵抗器が構成されることになるので、極めて容易に組み立てることができ且つ分解することができる終端抵抗器を提供することができる。
また、このように終端抵抗器が３つの部材から構成されることによって、終端抵抗器を使用済みの廃棄物として処理しようとした場合に、内部筒体を電子部品として処理し、第３及び第４収容部を金属片として処理することができるので、極めて環境に優しい終端抵抗器を提供することができる。
請求項５記載の発明によって、第４収容部に可撓性のリング部材が設けられることによって、内部筒体を外部筒体に収容した場合に確実に固着することができるとともに、容易に取外すことができる終端抵抗器を提供することができる。
請求項６記載の発明によって、第３収容部に可撓性のリング部材が設けられることによって、内部筒体を嵌入させた場合に確実に固着することができるとともに、容易に取外すことができる終端抵抗器を提供することができる。
請求項７記載の発明によって、内部筒体に突出部が設けられることになり、この内部筒体を確実に外部筒体に固着することができる終端抵抗器を提供することができる。
請求項８記載の発明によって、突出部がテーパ形状に形成されることによって、内部筒体を外部筒体に収容した場合に、第２収容部又は第４収容部の可撓性のリング部材による内部筒体の固定をより強固なものとすることができる終端抵抗器を提供することができる。
【発明を実施するための最良の形態】
【００１４】
本発明を実施するための最良の形態を説明する。
まず、第１実施例に係る終端抵抗器（１）について説明する。
本発明に係る終端抵抗器（１）は、外部筒体（１１）、内部筒体（１２）と芯線部（１３）とを有する。図１は本発明に係る第１実施例の終端抵抗器の部分断面図を示し、図２は第１実施例の終端抵抗器に係る外部筒体の部分断面図であり、図３は第１実施例の終端抵抗器に係る内部筒体の部分断面図である。
【００１５】
この外部筒体（１１）は、図１で示す如く、同軸ケーブル接栓（図示せず）と着脱自在に装着される。外部筒体（１１）は、その一端（Ａ）が底部（１１１）を有しており、その他端（Ｂ）は開口部（１１２）を有している（図２参照）。
この外部筒体（１１）の他端（Ｂ）は、開口部（１１２）を有しているが、この開口部（１１２）近傍に於ける外部筒体（１１）の内部周面には、同軸ケーブル接栓に着脱自在に装着されるために、同軸ケーブル接栓と係合するための係合部（図示せず）が設けられている。
この係合部は、特に限定される機構ではなく、同軸ケーブル接栓が有する係合機構に対応させることができる。例えば、同軸ケーブル接栓が雄螺子部を有していれば、この係合部には、この雄螺子部と螺合する雌螺子部が形成されることになる。
【００１６】
この外部筒体（１１）は、第１収容部（１１３）及び第２収容部（１１４）からなる。
第１収容部（１１３）は、筒状の形状を有するとともに、後述する内部筒体（１２）をこの筒体内部に収容する（図１参照）。第１収容部（１１３）の一端は、上記する底部（１１１）が形成されており、内部筒体（１２）は、この第１収容部（１１３）の開口部側から挿入されて配される。
この第１収容部（１１３）の内側半径の長さ（ａ）は、内部筒体（１２）を内部に嵌入することのできる長さであれば特に限定されないが、内部筒体（１２）の外側半径の長さよりもやや大きい長さ程度であることが好ましい。
また、この第１収容部（１１３）の内側半径の長さ（ａ）は、後述する内部筒体（１２）の突出部が設けられる部位の内部筒体（１２）の外側半径の長さ（図３で示される長さ（ｇ））よりも短く形成されている。
このように形成されることによって、第１収容部（１１３）は内部筒体（１２）を嵌入させて収容することができるとともに、突出部が設けられる内部筒体（１２）の部位は第１収容部（１１３）内には収容されないこととなる。
尚、この底部（１１１）の内側には、図１及び図２で示される如く、徐々に先細りするテーパ形状の切り欠き部（１１５）が形成されている。
この切り欠き部（１１５）は、サージ抵抗のための放電部として機能することができるように、所定の長さ（後述する他端（Ｅ）から外部筒体（１１）の内側表面の距離）の空間を形成している。この切り欠き部（１１５）が放電部として機能することによって、より安全な終端抵抗器として機能することになる。
【００１７】
第２収容部（１１４）は、第１収容部（１１３）と連通連結して設けられている。この第２収容部（１１４）も筒状の形状に且つ第１収容部（１１３）の内部半径の長さ（ａ）よりも長い内部半径の長さ（ｂ）を有して形成され、また、第１収容部（１１３）と同軸となるように設けられている。
この第２収容部（１１４）の内部半径の長さ（ｂ）は、第１収容部（１１３）の内部半径の長さ（ａ）よりも長く、且つ、突出部が設けられる内部筒体（１２）の外側半径長さ（図３で示される長さ（ｇ））よりも長ければ特に限定されない。
外部筒体（１１）を内部半径の異なる第１収容部（１１３）及び第２収容部（１１４）の２つの部位から構成することによって、第１収容部（１１３）と第２収容部（１１４）の接続部（１１６）で段差が生ずることになり、この接続部（１１６）が後述する内部筒体（１２）の突出部と係合することになる。
このような構成とすることで、確実に内部筒体（１２）を第２収容部（１１４）内に貫通させることができるとともに第１収容部（１１３）に内部筒体（１２）を収容することができ、内部筒体（１２）を確実に外部筒体（１１）内に収容することができるからである。
【００１８】
外部筒体（１１）の外側の表面（１１７）は、外部筒体（１２）の軸方向に対して直角の平面内に於いて、断面形状が略正六角形となるように形成されている。このように断面形状が略正六角形に形成されることによって、使用者は容易にこの終端抵抗器（１）を、該軸を中心に回転させることができる。
【００１９】
内部筒体（１２）は、図１で示される如く、外部筒体（１１）内に収容されて配される。
この内部筒体（１２）は、後述する抵抗素子を有する芯線部（１３）を内部に収容するとともに、この芯線部（１３）と内部筒体（１２）の端部が接続されている。
内部筒体（１２）は、図３で示される如く、この内部筒体（１２）の一端（Ｃ）から内部方向へ突出する突起部（１２１）が設けられている。この突起部（１２１）が芯線部（１３）と接続されることになる。この接続ははんだ付け等を利用して行われるが、このとき、鉛フリーのはんだ付けを採用することが好ましい。
内部筒体（１２）は、上記の如く、この内部に芯線部（１３）が配されるので、内部筒体（１２）の内側半径の長さ（ｃ）は、芯線部（１３）の最も長い外部半径よりも長くなるよう設定されている。
尚、図３では、内部筒体（１３）を内部半径（ｃ）及び内部半径（ｄ）と半径の異なる２つの筒状の第１部位（１２４）と第２部位（１２５）で構成されている。
この第１部位（１２４）は、内部半径（ｃ）を有して形成され、且つ、後述する芯線部（１３）の抵抗素子及び貫通コンデンサの軸方向の長さと略同じ軸方向長さ（ｅ）を有して形成されている。
このように抵抗素子及び貫通コンデンサの軸方向の長さと第１部位（１２４）の軸方向長さ（ｅ）を略等しく形成することによって、芯線部（１３）をこの内部筒体（１２）に収容する際に、容易に且つ正確に収容位置を決定することができるからである。
第２部位（１２５）の軸方向長さ（ｆ）は、特に限定されるものではなく、外部筒体（１１）内に収容されることができる長さに設定されれば構わない。
【００２０】
内部筒体（１２）の他端（Ｄ）には、この他端（Ｄ）の開口部（１２２）周縁から半径方向外側に向かって突出する突出部（１２３）が設けられている。
この突出部（１２３）が形成する外側半径の長さ（ｇ）は、上記する外部筒体（１１）に収容することができる長さであれば特に限定されない。
この突出部（１２３）は、図３で示される如く、軸方向外側に向かって傾斜する先細りするテーパ形状に形成されている。このように突出部（１２３）が先細りするテーパ形状に形成されることによって、テーパ斜面に後述するリング部材が当接することになり、確実に内部筒体（１２）を外部筒体（１１）に固定することができる。
【００２１】
芯線部（１３）は、図１で示される如く、内部筒体（１２）内に配されるとともに、一端（Ｆ）が前記同軸ケーブル接栓の中心導体（図示せず）と接続され、他端（Ｅ）が内部筒体（１２）と接続される。図４は、本発明に係る芯線部の等価回路を示す。
この芯線部（１３）は、芯線（１３１）、抵抗素子（１３２）と貫通コンデンサ（１３３）からなり、図１で示される如く、この順序で直列に配列されて接続されている。
この芯線（１３１）は、電気・電子回路で通常使用されるリード線を採用することができる。抵抗素子（１３２）も、通常使用される抵抗素子を採用することができ、抵抗素子の抵抗の大きさは、使用者によって適宜変更されて選択される。
貫通コンデンサ（１３３）が有する電気容量は、特に限定されず、使用者により適宜変更されて選択される。また、この貫通コンデンサ（１３３）の大きさは、特に限定されるものではないが、内部筒体（１３３）に確実に収納される大きさであることが必要である。
【００２２】
内部筒体（１２）に芯線部（１３）が収容され、芯線部（１３）の他端（Ｅ）と内部筒体（１２）が接続されると、この芯線部（１３）を固定するための固定部（１４）が内部筒体（１２）の他端（Ｄ）の開口部（１２２）を塞ぐように設けられる。この固定部（１４）は、絶縁体の物質で形成されている。
【００２３】
内部筒体（１２）が外部筒体（１１）内に配される（図１で示される状態）と、内部筒体（１２）を固定するための可撓性のリング部材（１５）が設けられている。
この可撓性のリング部材（１５）は、外部筒体（１１）の第２収容部（１１４）の内側周面に沿って配されている。このリング部材（１５）を設けることによって、内部筒体（１２）を確実に固定させることができるとともに、内部筒体（１２）の気密性を向上させ、防水性に優れたものとすることができる。このリング部材（１５）の素材は、可撓性の性質を有する素材であれば特に限定されるものではないが、合成ゴムを採用することができる。
【００２４】
第１実施例の終端抵抗器（１）が組み立てられる場合には、まず、芯線（１３１）、抵抗素子（１３２）と貫通コンデンサ（１３３）を直列に接続して芯線部（１３）を形成する。
芯線部（１３）が形成されると、この芯線部（１３）を内部筒体（１２）に収容させる。このとき、一端（Ｅ）の突起部（１２１）と芯線部（１３）の終端を接続させる。
内部筒体（１２）の芯線部（１３）が収容されると、固定部（１４）によって、芯線部（１３）が確実に固定される。
芯線部（１３）を収容する内部筒体（１２）は、外部筒体（１１）の他端（Ｂ）から挿入されて、外部筒体（１１）に収容される。このとき、内部筒体（１２）の突出部（１２３）が、外部筒体（１１）の第１収容部（１１３）及び第２収容部（１１４）の接続部（１１６）で係止して固定されることになる。
そして、内部筒体（１２）が外部筒体（１１）に係止されると、確実に固定させるためにリング部材（１５）が配される。
このようにして、第１実施例の終端抵抗器（１）が組み立てられることになる。
【００２５】
この第１実施例の終端抵抗器（１）は、上記の如く、外部筒体（１１）、内部筒体（１２）、芯線部（１３）、固定部（１４）とリング部材（１５）を有して構成されていることになる。この終端抵抗器（１）はこれら各部材が夫々容易に組み立てられる構成を有しているとともに、これら部材を容易に分離することができるので、故障部材のみを交換することによって容易に補修することができる。
またさらに、廃棄物として処分する場合であっても、これら部材のその材質に応じて容易に分離することができるとともに、部材の接続（芯線部と内部筒体の接続）に鉛フリーのはんだ付けを採用しており、環境に優しい部品で構成されているので、廃棄物として処理する場合であっても、各素材に分別して処理することができる。
以上が本発明に係る第１実施例の終端抵抗器（１）の構成である。
【００２６】
次に、本発明に係る第２実施例の終端抵抗器（２）について説明する。
図５は本発明に係る第２実施例の終端抵抗器の部分断面図であり、図６は第２実施例の外部筒体の部分断面図であり、（ａ）は第４収容部の部分断面図であり、（ｂ）は第３収容部の部分断面図であり、図７は第２実施例の内部筒体の部分断面図である。
この第２実施例の終端抵抗器（２）は、外部筒体（２１）、内部筒体（２２）と芯線部（２３）とからなる。
この第２実施例の終端抵抗器（２）と第１実施例の終端抵抗器（１）は、基本的な構成は同じであるが、第１実施例の外部筒体（１１）が一つの部材で形成されているのに対しこの第２実施例の外部筒体（２１）が二つの部材で形成されていることが異なっている。
尚、第２実施例の芯線部（２３）は、第１実施例の芯線部（１３）と同一の構成であるので説明を省略するが、第２実施例の芯線部（２３）、芯線（２３１）、抵抗素子（２３２）と貫通コンデンサ（２３３）は、夫々第１実施例の芯線部（１３）、芯線（１３１）、抵抗素子（１３２）と貫通コンデンサ（１３３）に対応している。
【００２７】
第２実施例の外部筒体（２１）は、第３収容部（２１２）と第４収容部（２１１）からなる。
この第３収容部（２１２）の基本構成は、上記する第１収容部（１１３）と同様であるが、第３収容部（２１２）の軸方向長さ（ｈ）と後述するリング部材（２４）を配置するための第１溝部（２１３）が設けられる構成が異なっている。
尚、第３収容部（２１２）は筒状に形成されるとともに、一端に底部（２１４）が設けられている。第４収容部（２１１）は筒状に形成されている。
【００２８】
第３収容部（２１２）の軸方向長さ（ｈ）は、図５で示す如く、内部筒体（２２）及び芯線部（２３）を内部に収容した場合に、抵抗素子（２３２）及び貫通コンデンサ（２３３）を内部に収容することのできるように設定されることが好ましい。
このように第３収容部（２１２）を抵抗素子（２３２）及び貫通コンデンサ（２３３）を確実に収容することができ、且つ、貫通コンデンサ（２３３）と第３収容部（２１２）の底部（２１４）の裏側表面とが放電部を形成することのできる軸方向長さ（ｈ）を有することが好ましい。
【００２９】
第３収容部（２１２）は、後述するリング部材（２４）を配置するための第１溝部（２１３）が設けられている。この第１溝部（２１３）は、図６（ｂ）で示す如く、第３収容部（２１２）の内側周面に沿って設けられている。この第１溝部（２１３）は、第３収容部（２１２）に内部筒体（２２）を収容した場合に、後述する内部筒部（２２）の外側周面に設けられる第２溝部と当接する位置に設けられている。
この第１溝部（２１３）が設けられる位置は、特に限定されないが、第３収容部（２１２）が内部筒体（２２）を収容した場合に、確実に内部筒体（２２）を固定することができる位置であれば構わない。
尚、この第１溝部（２１３）と第２溝部が当接することによって、リング部材を収容する空間を形成することになる。
【００３０】
第４収容部（２１１）は、内部筒体（２２）を同軸ケーブル接栓に装着することができる。この第４収容部（２１１）は、内部半径の長さの異なる二つの部位（第１筒部（２１５）と第２筒部（２１６））から構成されている。
この第１筒部（２１５）の内部半径の長さ（ｉ）は第２筒部（２１６）の内部半径長さ（ｊ）よりも短く形成されており、これら夫々の長さ（ｉ）及び長さ（ｊ）は、夫々第１収容部（１１３）の内部半径の長さ（ａ）及び第２収容部（１１４）の内部半径の長さ（ｂ）と同条件に設けられている。
この第１筒部（２１５）と第２筒部（２１６）の軸方向の夫々の長さ（ｋ）及び長さ（ｌ）は、特に限定されるものではないが、第１筒部（２１５）の長さ（ｋ）が内部筒体（２２）を確実に保持することができる長さを有することが必要である。
尚、この第４収容部（２１１）に内部筒体（２２）が収容される際には、第２筒部（２１６）の開口側（図６（ａ）の紙面に向かって左側）から内部筒体（２２）を貫通させ、第１筒部（２１５）及び第２筒部（２１６）の接続部（２１７）に内部筒体（２２）の突出部を係合させることによって固定し配置する。
【００３１】
第２実施例の内部筒体（２２）は、図７で示す如く、第２溝部（２２１）が外側周面に沿って設けられている。この第２溝部（２２１）は、上記の如く、第３収容部（２１２）に内部筒体（２２）が収容された際に、第３収容部（２１２）の第１溝部（２１３）とこの第２溝部（２２１）がリング部材（２４）を収容するための空間を形成することになり、内部筒体（２２）と第３収容部（２１２）を固着することができるようになる。
尚、この第２実施例の内部筒体（２２）は、この第２溝部（２２１）が設けられる以外の構成は、上記する第１実施例の内部筒体（１２）と同様の構成を有している。
【００３２】
第２実施例の終端抵抗器（２）は、第３収容部（２１２）に内部筒体（２２）が収容された際に、第１溝部（２１３）と第２溝部（２２１）が形成する空間に配される可撓性のリング部材（２４）を有してなる。
このリング部材（２４）は、第１及び第２溝部（２１３、２２１）が形成する空間に配置されることによって、内部筒体（２２）が第３収容部（２１２）に収容された際に、確実にこの内部筒体（２２）を第３収容部（２１２）に固定することができるとともに、内部筒体（２２）内への浸水の防止を行うことができる。また、このリング部材（２４）によって、内部筒体（２２）を容易に第３収容部（２１２）へ固定することができ、煩わしい作業を必要とせずに組み立てることができる。
このリング部材（２４）の素材は、可撓性の性質を有する素材であれば特に限定されるものではないが、合成ゴムを採用することができる。
尚、第４収容部（２１１）は、上記第２収容部（１１４）が有するリング部材（１５）と同様の機能を有するリング部材（２５）が設けられている。
【００３３】
第３収容部（２１２）と第４収容部（２１１）は、上記の如く、内部筒体（２２）を夫々収容すると、第３収容部（２１２）と第４収容部（２１１）が所定間隔（ｍ）を有して配置されていることになる。この所定間隔（ｍ）は特に限定されず、使用者によって適宜設定される。
【００３４】
この第２実施例の終端抵抗器（２）が組み立てられる際には、まず、芯線（２３１）、抵抗素子（２３２）と貫通コンデンサ（２３３）を直列に接続して芯線部（２３）を形成する。
芯線部（２３）が形成されると、この芯線部（２３）を内部筒体（２２）に収容させる。このとき、端部に設けられる突起部と芯線部（２３）の終端を接続させる。
内部筒体（２２）の芯線部（２３）が収容されると、固定部（２６）によって、芯線部（２３）が確実に固定される。
芯線部（２３）を収容する内部筒体（２２）は、まず、この内部筒体（２２）が第４収容部（２１１）に貫通され、内部筒体（２２）の突出部（２２２）が第４収容部（２１１）の第１筒部（２１５）と第２筒部（２１６）の接続部（２１７）で係止される。
内部筒体（２２）が第４収容部（２１１）に収容されると、内部筒体（２２）と第４収容部（２１１）を確実に固定するためのリング部材（２５）が配されることになる。
次に、この内部筒部（２２）は、外部筒体（２１）の第３収容部（２１２）に収容される。このとき、第１溝部（２１３）と第２溝部（２１４）が形成する空間にリング部材（２４）が配されて固定される。
このようにして、第２実施例の終端抵抗器（２）が組み立てられることになる。
【００３５】
この第２実施例の終端抵抗器（２）も、第１実施例の終端抵抗器（１）と同様に、上記の如く、第３収容部（２１２）、第４収容部（２１１）、内部筒体（２２）、芯線部（２３）、固定部（２６）、リング部材（２４、２５）を有して構成されていることになる。この終端抵抗器（２）はこれら各部材が夫々容易に組み立てられる構成を有しているとともに、これら部材を容易に分離することができるので、故障部材のみを交換することによって容易に補修することができる。
またさらに、廃棄物として処分する場合であっても、これら部材のその材質に応じて容易に分離することができるとともに、部材の接続（芯線部と内部筒体の接続）に鉛フリーのはんだ付けを採用しており、環境に優しい部品で構成されているので、廃棄物として処理する場合であっても、各素材に分別して処理することができる。
【００３６】
本発明に係る終端抵抗器（１，２）は、高域の伝送周波数を利用する電子機器に極めて好適に使用される。
特に、本終端抵抗器（１，２）は、高域の伝送周波数を利用する衛星放送用の「Ｃ−１５型コネクタ」に対応して好適に使用することができる。
【００３７】
（比較例）
次に、本発明に係る終端抵抗器と従来抵抗器を利用した場合の比較例を示す。
この比較例に於いて、本発明に係る終端抵抗器（１）は、抵抗素子（１３２）に７５オームの抵抗素子を、貫通コンデンサ（１３３）に１０００ｐＦの静電気容量を有する貫通コンデンサを採用している。尚、この比較例に於いて使用される貫通コンデンサ（１３３）は、特に限定されるものではないが、セラミックスを誘電体として製造され、中端子なし、鉛フリーのものが使用されている。
また、従来抵抗器には、図９（ａ）で示される抵抗器を使用し、図９（ｂ）で示される如く、７５オームの抵抗素子（Ａ２）、コンデンサリード（Ａ４）、コンデンサ（Ａ３）及びコンデンサリード（Ａ４）が直列に接続される等価回路を有している。
図８には、本抵抗器と従来抵抗器の各周波数に於ける出力値を示すグラフである。
この図８で示される如く、従来抵抗器では周波数３００ＭＨｚをピーク値として、出力値が減少の一途を辿っているのに対して、本発明の終端抵抗器（１）は、２７００ＭＨｚの高域の伝送周波数を利用した場合であっても、十分な出力値を有していることが解る。
このように、本終端抵抗器を使用することによって、高域の伝送周波数であっても極めて好適に使用することができる。
【産業上の利用可能性】
【００３８】
本発明は、終端抵抗器に関する発明であり、特に、CATV放送や衛星放送等の高域の伝送周波数を利用する場合に好適に使用することができる。
【図面の簡単な説明】
【００３９】
【図１】本発明に係る第１実施例の終端抵抗器の部分断面図を示す。
【図２】第１実施例の終端抵抗器に係る外部筒体の部分断面図である。
【図３】第１実施例の終端抵抗器に係る内部筒体の部分断面図である。
【図４】第１実施例の芯線部の等価回路を示す。
【図５】本発明に係る第２実施例の終端抵抗器の部分断面図である。
【図６】第２実施例の外部筒体の部分断面図であり、（ａ）は第４収容部の部分断面図であり、（ｂ）は第３収容部の部分断面図である。
【図７】第２実施例の内部筒体の部分断面図である。
【図８】本発明の終端抵抗器と従来の終端抵抗器の各周波数に於ける出力値を示すグラフである。
【図９】（ａ）は従来の終端抵抗器を示す図であり、（ｂ）はこの終端抵抗器の等価回路を示す。
【符号の説明】
【００４０】
１・・・・・第１実施例の終端抵抗器
１１・・・・外部筒体
１１３・・・第１収容部
１１４・・・第２収容部
１２・・・・内部筒体
１２３・・・突出部
１３・・・・芯線部
１３２・・・抵抗素子
１３３・・・貫通コンデンサ
１５・・・・リング部材
２・・・・・第２実施例の終端抵抗器
２１・・・・外部筒体
２１１・・・第４収容部
２１２・・・第３収容部
２２・・・・内部筒体
２３・・・・芯線部
【図１】
2006203144.tif 000003
【図２】
2006203144.tif 000004
【図３】
2006203144.tif 000005
【図４】
2006203144.tif 000006
【図５】
2006203144.tif 000007
【図６】
2006203144.tif 000008
【図７】
2006203144.tif 000009
【図８】
2006203144.tif 000010
【図９】
2006203144.tif 000011